(57)【要約】【課題】電気かみそりと洗浄器のセットにおいて、両者を電気的に導通させる接点の形状や取付けを簡単にする。【解決手段】洗浄器100は電気かみそりヘッド部２を挿入支持し且つ洗浄液の飛散を防止する囲い枠300と、ヘッド部２へ洗浄液を噴射する噴射口305を有し、囲い枠(300)には、電気かみそりハンドル部１の背面、側面、前面の何れかの面側に、同一平面高さに設けた複数の接点７、７、7aに接触可能に接点400、400、400aを設けている。【選択図】図６
2010057833.tif 000002
【特許請求の範囲】
【請求項１】
内刃と該内刃に被さる外刃を具えたヘッド部とハンドル部とを具えた電気かみそりと、該電気かみそりヘッド部を洗浄する洗浄器を用い、洗浄器は電気かみそりヘッド部を挿入支持し且つ洗浄液の飛散を防止する囲い枠と、ヘッド部へ洗浄液を噴射する噴射口を有し、囲い枠には、電気かみそりハンドル部の背面、側面、前面の何れかの面側に、同一平面高さに設けた複数の接点に接触可能に接点を設けている、電気かみそりの洗浄システム。
【請求項２】
ハンドル部上の接点は、ハンドル部の外殻体の表面に開設した孔の底に設けられており、該該孔の壁面は外開き方向に傾斜している、請求項１に記載の電気かみそりの洗浄システム。
【請求項３】
ハンドル部の外殻体の表面は、手に馴染みやすい３次元曲面となっており、該ハンドル部に３つの接点が、一辺が外刃と平行な仮想三角形の各頂部に位置する様に配備され、中央の接点は、他の２つの接点より外刃から遠ざかる位置にある、請求項１又は２に記載の電気かみそりの洗浄システム。
【請求項４】
洗浄器上の接点は金属線を屈曲して形成され、屈曲頂部が電気かみそり上の接点に接触可能に配備されている、請求項１乃至３の何れかに記載の電気かみそりの洗浄システム。
【発明の詳細な説明】
【技術分野】
【０００１】
本発明は、電気かみそりの洗浄システムであって、詳しくは、電気かみそりと洗浄器を電気的に導通させる電気かみそり側の接点を、電気かみそりの背面、側面、前面の何れかの面側にて、同一平面高さに設けたことを特徴とするものである。
【背景技術】
【０００２】
電気かみそりは、充電器等相手機器との通電を図るための接点は、ハンドルの下端面に設けられている。
電気かみそりと、そのヘッド部を洗浄する洗浄器のシステムにおいても、同様である(特許文献１)。
この理由は、ヘッド部を洗浄器の洗浄槽に浸けて洗浄するため、ハンドル部の周面に接点を設けると、水没或いは水の飛散の虞れがあること、及び、ハンドル部を手に馴染みやすい様に、３次元湾曲に形成した場合、複数個の接点の高さが異なって、洗浄器側の接点の取付けや形状が複雑となるからである。
【特許文献１】特願２００５−３４９１３１
【発明の開示】
【発明が解決しようとする課題】
【０００３】
本発明は、電気かみそりハンドル部の表面が３次元湾曲していても、複数の接点の高さを同一表面に揃う様に工夫することにより、洗浄器側の接点の形状や取付けを簡素化できる、電気かみそりの洗浄システムを明らかにするものである。
【課題を解決するための手段】
【０００４】
請求項１は、内刃(35)(35)と該内刃に被さる外刃(33)(34)を具えたヘッド部(２)とハンドル部(１)とを具えた電気かみそり(８)と、該電気かみそりヘッド部(２)を洗浄する洗浄器を用い、洗浄器(100)は電気かみそりヘッド部(２)を挿入支持し且つ洗浄液の飛散を防止する囲い枠(300)と、ヘッド部(２)へ洗浄液を噴射する噴射口(305)を有し、囲い枠(300)には、電気かみそりハンドル部(１)の背面、側面、前面の何れかの面側に、同一平面高さに設けた複数の接点(７)(７)(7a)に接触可能に接点(400)(400)(400a)を設けている。
【０００５】
請求項２は、請求項１に記載の電気かみそりの洗浄システムにおいて、ハンドル部(１)上の接点(７)(７)(7a)は、外殻体(６)の表面に開設した孔(61)(61)(61a)の底に設けられており、該孔(61)(61)(61a)の壁面(61b)は外開きに傾斜している。
【０００６】
請求項３は、請求項１又は２の電気かみそりの洗浄システムにおいてハンドル部(１)の外殻体(６)の表面は、手に馴染みやすい３次元曲面となっており、該ハンドル部(１)に３つの接点(７)(７)(7a)が、一辺が外刃(33)(34)と平行な仮想三角形の各頂部に位置する様に配備され、中央の接点(7a)接点は、他の２つの接点(７)(７)より外刃(33)(34)から遠ざかる位置にある。
【０００７】
請求項４は、請求項１乃至３の何れかに記載の電気かみそりの洗浄システムにおいて、洗浄器(100)上の接点(400)(400)(400a)は、金属線を屈曲して形成され、屈曲頂部が電気かみそり(８)上の接点(７)(７)(7a)に接触可能に配備されている。
【発明の効果】
【０００８】
請求項１の電気かみそりの洗浄システムは、電気かみそりハンドル部(１)の外殻体(６)の表面が、手に馴染みやすい様に３次元的に湾曲していても、複数の接点(７)(７)(7a)は同一平面にある。このため、洗浄器(100)の囲い枠(300)上の３つの複数の接点(400)(400)(400a)は、囲い枠(300)内への臨出量を同じとすればよい。即ち、３つの接点(400)(400)(400a)を同じ形状とすることができ、接点(400)(400)(400a)の製作が容易であり、又、接点(400)(400)(400a)の取付けも簡単である。
【０００９】
請求項２の電気かみそりの洗浄システムは、電気かみそり(８)の囲い枠(300)への挿入が多少位置ずれしても、洗浄器外殻体(６)の孔(61)(61)(61a)のテーパ状壁面(61b)の誘い込み作用によって、電気かみそり(８)側の接点(７)(７)(7a)が洗浄器(100)側の接点(400)(400)(400a)側に導かれて、電気かみそり(８)の姿勢が正しく矯正される。
【００１０】
請求項３の電気かみそりの洗浄システムは、３つの接点(７)(７)(7a)の内、中央の接点(7a)をハンドル部(１)の下端側、即ち、仮想逆三角形の頂部との対応位置に配備したため、これに対応する外殻体(６)の３つの孔(61)(61)(61a)を外拡がりのテーパ孔としても、両端の孔(61)(61)の間隔を狭めて、狭い領域に３つの孔(61)(61)(61a)を設けることができる。このため、外殻体(６)の３次元湾曲の影響を小さくできる。
【００１１】
請求項４の電気かみそりの洗浄システムは、洗浄器(100)側の接点(400)(400)(400a)は金属線を屈曲して形成されているから、金メッキを施して電気導通性を向上させる場合、従前の金属板製の接点に較べて高価な金の使用量を少なくできる。
又、電気かみそり(８)側の接点(７)(７)(7a)は同一平面に揃っているから、洗浄器(100)側の接点(400)(400)(400a)を同じ形状にし、囲い枠(300)内への臨出高さを同じにできるから、接点(400)(400)(400a)の製作、取付けが容易となる。
【発明を実施するための最良の形態】
【００１２】
［電気かみそり］
図１乃至図１８は、洗浄対象である電気かみそり(８)の一例を示している。
図１、図２、図６に示す如く、電気かみそり(８)は、ハンドル部(１)の先端両側に突設したブラケットアーム(11)(11)間に、刃体ユニット(３)を具えたヘッド部(２)を傾動可能に支持して構成され、ロック手段(図示せず)によってヘッド部(２)を複数の傾き位置でロック可能である。
【００１３】
図５、図６は、電気かみそりのヘッド部(２)を、ハンドル部(１)の軸芯に対して、正面側に最大倒した基本ポジションであって、電気かみそりを引剃り使用する「引剃りポジション」である。
図２５はヘッド部(２)を最大起こした「際剃りポジション」であり、実施例では際剃りポジョンは、後記する洗浄器(100)へ電気かみそりヘッド部(２)を挿入する際の洗浄ポジョンでもある。
尚、ハンドル部(１)の軸芯とは、図５に示す如く、該ハンドル部(１)内に収容された後記する内刃駆動モータ(12)の出力軸(13)の軸芯と一致している。
【００１４】
図１、図２に示す如く、ハンドル部(１)は、長さ中央部からブラケットアーム(11)側の両側面が内側に湾曲して括れている。
ハンドル部(１)の正面中央の上部に電源スイッチ(10)が設けられている。
ハンドル部(１)の背面上部中央に複数個の接点、下部にはガス抜き孔(18)が開設されている。
【００１５】
［電気かみそりの接点］
図６に示す如く、ハンドル部(１)の本体ケース(15)の背面には、外殻体(６)である化粧カバー(6a)が被せられる。
ハンドル部(１)の本体ケース(15)には複数の接点、実施例では３つの短円柱状の接点(７)(７)(7a)が、仮想逆二等辺三角形の頂部に位置する様に並んでいる。
３つの接点(７)(７)(7a)とは、後記する洗浄器の３つの接点(400)(400)(400a)に導通して、充電と信号の送受を行うためのものである。
３つの接点(７)(７)(7a)の内、左右の２つの接点(７)(７)は充電用、その内の１つの接点(７)と中央の接点(7a)で、電気かみそり(８)が洗浄器(100)に対応してるか否かの判別、電気かみそり(８)の充電残量を検出する信号の送受信、電気かみそり(８)が洗浄器(100)に正しく挿入されたことの検出等を行う。
【００１６】
図２、図６に示す如く、ブラケットアーム(11)側の２つの接点(７)(７)を結ぶ仮想線Ｌ1は、ヘッド部(２)の傾動中心線Ｌ2と平行であり、下側の接点(7a)は、ハンドル部(１)の幅中心上に位置し、該接点(7a)から両側の接点(７)(７)までの距離は等しい。
３つの接点(７)(７)(7a)の円形で平坦な先端面は同一平面に揃っている。実施例では、３つの接点(７)(７)(7a)の先端面は前記ハンドル部(１)の軸芯及びヘッド部(２)の傾動中心軸Ｌ2の両者に対して平行な面に揃っている。
【００１７】
［ガス抜き孔］
図６に示す如く、ハンドル部(１)の本体ケース(15)の下方にはラベル貼付台座(16)が設けられている。該台座(16)は、ハンドル部(１)の長手方向に沿う矩形状であり、周囲より少し隆起している。
該ラベル貼付台座(16)の下部には、ガス抜き孔用の座部(17)が僅か隆起して形成され、該座部(17)の中央に本体ケース(15)内に連通するガス抜き孔(18)が開設される。
ラベル貼付台座(16)には、電気かみそり(８)の定格等を表示したラベル(19)が貼着される。該ラベル(19)にはガス抜き孔(18)の座部(17)が嵌まる孔(19a)が開設されており、該座部(17)はラベルより僅か高く臨出する。
ガス抜き孔(18)は、ハンドル部(１)内の電池(12a)から発生する虞れのあるガスを抜いたり、ハンドル部の防水検査のために必要な公知の孔である。
【００１８】
［化粧カバー(外殻体)］
図６に示す如く、本体ケース(15)の背面には、外殻体(６)である合成樹脂製の化粧カバー(6a)が、樹脂の弾性によって着脱可能に取り付けられている。
化粧カバー(6a)は、本体ケース(15)の背面形状に沿って、手に馴染みやすい様に３次元的に湾曲しており、左右対称である。
化粧カバー(6a)の上部には、前記３つの接点(７)(７)(7a)との対応位置に３つの孔(61)(61)(61)が開設され、下部には前記ラベル貼付台座(16)との対応位置に、該台座が嵌まる矩形の開口(62)が設けられている。
化粧カバー(6a)を本体ケース(15)に取り付けた状態で、孔(61)(61)(61)の底に接点(７)(７)(7a)が露出する。孔(61)(61)(61a)の壁面(61b)は外拡がりのテーパ状に傾斜している(図３５参照)。
化粧カバー(6a)の３つの孔(61)(61)(61a)の周辺の外表面の具体的な形状は、左右両側の孔(61)(61)の中間位置(60)から、該両側の孔(61)(61)及び中央の孔(61a)へ隆起高さが徐々に低くなっている。
【００１９】
前記３つの接点(７)(７)(7a)の内、中央の接点(7a)をハンドル部(１)の下端側、即ち、ヘッド部(２)から離れる側に位置させたことで、化粧カバー(6a)の隆起高さが大である、左右両側の孔(61)(61)の中間位置(60)から、該孔(61)(61)及び下方の孔(61a)までの化粧カバー(6a)の隆起高さが略揃う。これによって、３つの接点(７)(７)(7a)の表面高さが揃う面に対して、化粧カバー(6a)の３つの孔(61)(61)(61a)の開口縁の隆起高さが略揃っている。
前記本体ケース(15)上の３つの接点(７)(７)(7a)を、仮想逆二等辺三角形の頂部との対応位置に配備したため、これに対応する化粧カバー(6a)の３つの孔(61)(61)(61a)を外拡がりのテーパ孔としても、両端の孔(61)(61)の間隔を狭めて、狭い領域に孔(61)(61)(61a)を設けることができる。このため、化粧カバー(6a)の３次元湾曲の影響を小さくできる。
【００２０】
［偏芯回転軸］
図５に示す如く、ハンドル部(１)の前記ブラケットアーム(11)(11)の上端面は、ヘッド部(２)の回転方向に沿う凹み円弧面(14)に形成され、幅方向の中央部において前記モータ出力軸(13)が液密に突出し、該出力軸の先端に偏芯回転軸(14a)を具えている。偏芯回転軸(13a)は偏芯回転して後記する振動子(４)を左右に往復振動させる。
【００２１】
［ヘッド部］
図７、図８はヘッド部(２)の分解図である。ヘッド部(２)は、ヘッド部本体ケース(21)と、夫々該本体ケース(21)に収容される振動子(４)、内刃(35)(35)及び外刃カセット(30)とによって構成される。
ヘッド部本体ケース(21)は、前記ブラケットアーム(11)(11)間に枢支されハンドル部(１)側に位置する下部ケース(21a)と、該下部ケース(21a)に積み重ねて接続された上部ケース(５)とによって構成される。
【００２２】
下部ケース(21a)は上面が開口した横長の筺体であって、底板(22)はヘッド部(２)の回動中心を半径中心とする円弧面に形成され、即ち、前記ハンドル部(１)の上端凹み円弧面(14)(図５参照)に沿う様に形成されている。該底板(22)には、前記偏芯回転軸(13a)が遊嵌する溝孔(28)が円弧方向に開設されている。
溝孔(28)は、ヘッド部(２)が前記引剃りポジションから、際剃りポジションへ姿勢を変えても、偏芯回転軸(13a)に干渉しない範囲に延びている。
【００２３】
［振動子］
図７に示す如く、下部ケース(21a)内には、前記偏芯回転軸(16)に連繋して振動子(４)が配備される。
図８に示す如く、実施例の振動子(４)は２つの振動子片(4a)(4b)を背合わせに組み合せて形成される。
振動子片(4a)(4b)は、内刃取付け座(41)と該内刃取付け座(41)の両端に可撓性腕片(42)(42)を具えており、該可撓性腕片(42)(42)の自由端を前記下部ケース(21a)上の取付けボス(図示せず)にネジ止めして取り付けられる。
一方の振動子片(4a)の内刃取付け座(41)の下部には、前記偏芯回転軸(13a)を摺接可能に嵌め入れる溝(43)が、振動子(４)の往復方向と直交して開設されている。
【００２４】
図１１に示す如く、ヘッド部(２)の傾動中心軸Ｌ2は上記溝(43)の奥を通っており、溝(43)を形成する左右の壁(44)(44)は、ヘッド部(２)の回転中心軸Ｌ2、即ち、振動子片(4a)の回転中心近傍を半径中心とする円弧状を呈している。
前記偏芯回転軸(13a)は、振動子片(4a)の回転中心側に向いている。従って、ヘッド部(２)の傾き角度を変えても、偏芯回転軸(13a)と溝(43)の両壁(44)(44)との接触長さの変化は、偏芯回転軸(13a)の偏芯量による僅かの変化に留めることができる。
これによって、ヘッド部(２)の傾き角度の違いによって、モータ負荷電流のバラツキや、それに伴う振動子(４)の振動数のバラツキを防止できる。
実施例では、偏芯回転軸(13a)の先端が振動子(４)の回転中心近傍に位置する様に設計されているので、溝(43)の深さも偏芯回転軸の長さも必要最小限とすることができ、ヘッド部(２)の小型化に寄与できる。
【００２５】
図１６に示す如く、下部ケース(21a)の上面開口は、該開口を塞ぐ振動子カバー(46)が取り付けられている。
該振動カバー(46)には両振動子片(4a)(4b)の位置に対応して開口(46a)が開設されて、該開口に防水用ゴムキャップ(47)が装着される。
両振動子片(4a)(4b)の上部は上記ゴムキャップ(47)を液密に貫通する接続部(45)となっている。
図８に示す如く、各接続部(45)(45)は、後記する刃体ユニット(３)の内刃(35)(35)を取り付けるための取付け片(45a)(45a)を具えており、該取付け片(45a)(45a)はバネ(図示せず)で上向きに付勢して支持されており、上下方向に少し移動可能である。即ち、内刃(35)(35)も上下方向に少し移動可能となる。
ヘッド部(２)の正面側の振動子片(4a)の接続部(45)には、際剃り外刃(32)を駆動するための係合片(45b)を具えている。
【００２６】
［刃体ユニット］
図７に示す如く、刃体ユニット(３)は、前記２つの内刃(35)(35)と外刃カセット(30)とによって構成される。
２つの内刃(35)(35)は、前記２つの振動子片(4a)(4b)の取付け片(45a)(45a)に着脱可能に嵌着される。
内刃(35)は、切刃となるスリット孔列を有する金属板を断面逆Ｕ字状に湾曲させた刃板(35a)を、刃枠(35b)に取り付けている公知のものである(例えば特開２００６−３４０９３８公報)。
【００２７】
［内刃の刃枠］
図１７ａ、図１７ｂに示す如く、内刃(35)の刃枠(35b)は矩形の枠体に形成されている。刃枠(35b)は、中央に取付けボス(35c)を具え、長手方向に沿う平行壁板(35d)(35d)間を繋ぐリブ(35e)(35e)を該ボス(35c)の両側に有している。両リブ(35e)(35e)は平行壁板(35d)(35d)に対して傾き、且つ取付けボス(35c)の軸芯に対しても「ハ」の字を成す様にも傾いている。
【００２８】
図１８ａ、図１８ｂは、リブ(35e)(35e)の他の実施例を示している。
両リブ(35e)(35e)は、上部(刃板(35a)側)が取付けボス(35c)の軸芯に対して「ハ」の字を成す様に傾き、下部は平行壁板に対して直角を成し、取付けボス(35c)の軸芯に対して平行である。
刃枠(35b)のリブ(35e)(35e)の傾きは、内刃(35)(35)が横方向にスライドする際に洗浄液の撹拌効果を高めるためであって、上記実施例に限らず、取付けボス(35c)の軸芯を含んで平行壁板(35d)(35d)を直角に横切る仮想面Ｆ1に対して、リブ(35e)(35e)の全体、或いは一部が傾いていればよい。換言すれば、該刃枠(35b)の往復移行路を直角に横切る仮想面に対して、全体或いは一部が傾いていればよい。
【００２９】
［外刃カセット］
外刃カセット(30)は、図８、図９に示す如く、上下面開口の横長枠状の刃体ケース(31)内に、正面側から順に、際剃り外刃(32)、荒剃り外刃(33)及び仕上げ剃り外刃(34)を平行収容している。
荒剃り外刃(33)と仕上げ剃り外刃(34)は、夫々金属薄板に切刃となる多数の小孔を開設した網刃(33a)(34a)を、上下面が開口した横長の略矩形の枠台(33b)(34b)に固定して形成されている。
両枠台(33b)(33b)は該枠台と一体形成したバネ片(33c)(33c)(図１６参照)によって外向きに付勢され、各外刃(32)(33)(34)は刃体ケース(31)の上端開口から臨出している。
各外刃(32)(33)(34)の最外部端は、ヘッド部(２)の傾動中心軸Ｌ2と平行である。
【００３０】
際剃り外刃(32)は、金属板を逆Ｌ字状に屈曲し、屈曲部に切刃となる多数の切欠を列状に開設している。
際剃り外刃(32)の内側には際剃り内刃(36)(図１参照)が左右にスライド可能に設けられる。
際剃り外刃(32)と際剃り内刃(36)は、後記する補助部材(38)に取り付けられている。
図８、図４０、図４１に示す如く、際剃り外刃(32)と荒削り外刃(33)の枠台(33b)との間にはスリット状の隙間Ｓが生じている。
上記スリット状の隙間Ｓは、後記する電気かみそりヘッド部(２)の洗浄に大きな意味を持つ。
【００３１】
図１４に示す如く、刃体ケース(31)の正面壁の内側には、際剃り外刃(32)及び際剃り内刃(36)を昇降可能に支持する補助部材(38)が配備されている。
補助部材(38)は、際剃り外刃(32)と際剃り内刃(36)を刃体ケース(31)から飛び出し方向にバネ(37)(37)によって付勢されている。
際剃り内刃(36)は、前記振動子片(4a)上の係合片(45b)に連繋されて往復スライドする。
【００３２】
［際剃り刃の上下動、及びロック］
図８に示すヘッド上部ケース(５)は、上、下面が開口した横長の枠筺体に形成されており、上面開口から、際剃り外刃(32)を正面側にして前記外刃カセット(30)を収容する。この状態で荒剃り外刃(33)と仕上げ剃り外刃(34)の内面に、前記内刃(35)(35)が摺接する。
図７、図８に示す如く、上部ケース(５)の正面に、前記際剃り外刃(32)を押上げ操作するための摘み(51)が横方向にスライド可能に配備されている。
摘み(51)には押上げ片(52)が連繋され、該押上げ片先端の短い凸軸(53)が、図１５ａに示す前記補助部材(38)上のカム板(39)に係合している。
【００３３】
図１５ａに示す如く、凸軸(53)がカム板(39)の谷部(39a)に対して余裕のある遊び位置にあるとき、補助部材(38)はロックされていない。従って、補助部材(38)、即ち、際剃り外刃(32)及び際剃り内刃(36)には、前記バネ(37)の付勢が利いており、バネに抗して少し沈み込み可能である。この状態において、図１２に示す如く、荒剃り外刃(33)と仕上げ剃り外刃(34)の外面に接する仮想面Ｆよりも、際剃り外刃(32)は少し内側に位置している。
摘み(55)のスライド操作によって、凸軸(53)を図１５ａの状態から図１５ｂの状態に移動させたとき、該凸軸(53)がカム板(39)の斜面(39b)を押し上げながらカムの山部(39c)に達する。この状態で際剃り外刃(32)は、他の外刃(33)(34)より高く突出した際剃り位置にロックされる。
【００３４】
実施例の電気かみそりは、上記の如く、荒剃り外刃(33)と仕上げ剃り外刃(34)は勿論のこと、際剃り外刃(32)もバネ(37)(37)に抗して、内側に沈み込み可能であるから、際剃り外刃(32)が常にロック状態の従来の電気かみそりよりも、肌当たりが柔らである。
際剃り外刃(32)を突き出した状態では、その状態で自動的にロックされるから、際剃り外刃(32)が沈み込むことはなく、使い勝手よく際剃りができる。
【００３５】
［電気かみそりハンドル部の防水検査］
電気かみそりは、出荷前にハンドル部(１)の防水検査が行われる。
これは、ハンドル部(１)のガス抜き孔(18)を塞いだ状態で、ハンドル部(１)に外圧を加えて行う。
実施例ではガス抜き孔(18)の座部(17)は、周辺のラベル(19)よりも高く突出しているから、該ガス抜き孔(18)を含む座部(17)をジェル状ゴム(図示せず)によって塞ぐだけで済む。
又、ハンドル部本体ケース(15)に対して外殻体(６)である化粧カバー(6a)は、ガス抜き孔(18)を塞ぐことに全く支障はなく、樹脂の弾性によって本体ケース(15)に取り付けられている化粧カバー(6a)と本体ケース(15)との間から空気が漏れる虞れもない。
以上が電気かみそりについての説明であり、以下に、洗浄器について説明する。
【００３６】
［洗浄器］
図１９は洗浄器(100)に電気かみそり(８)をセットした、洗浄器の使用状態を示している。
図２０に示す如く、洗浄器(100)は、洗浄器本体(200)、該洗浄器本体に脱着可能にセットする洗浄用の貯液タンク(600)及び洗浄器本体(200)に被さるケース状外カバー(900)とによって構成され、全体が縦長の略直角三角形を呈している。
以下、洗浄器(100)の下部の略直角側を「後」、反対側を「前」とする。
【００３７】
［洗浄器本体およびベース板］
図２１に示す如く、洗浄器本体(200)は、ベース板(201)、該ベース板上に昇降可能に配備した取付け台(202)、該取付け台に設けられ電気かみそり(８)を保持する囲い枠(300)、前記貯液タンク(600)内の水を電解水にするための極板(501)(502)を収容した極板ケース(500)、電解水である洗浄液を囲い枠(300)内の電気かみそりヘッド部(２)へ噴射するためのポンプ(504)及び制御部とによって構成される。
【００３８】
図２１、図２３に示す如く、ベース板(201)は前後に長い小判形であり、後方寄りにて左右両側に平行に２本のガイド柱(203)(203)を立設し、両ガイド柱に跨って昇降可能に取付け台(202)を具えている。
図２９に示す如く、ベース板(201)の後端には貯液タンク(600)の後端位置を決める位置決め用の突起(204)(204)が設けられている。
ベース板(201)には、両ガイド柱(203)(203)に跨る様に、貯液タンクのスライド案内用のガイド枠(205)が設けられている。
ガイド枠(205)は、前記ガイド柱(203)(203)に跨って、貯液タンク(600)の後部側上面に被さる平板(205a)と、該平板の左右両端の前後位置から下向きに突設されベース板(201)に繋がった４本の脚板(205b)によって構成される。
上記平板(205a)には、後記する洗浄用の槽状囲い枠(300)からの排水を、貯液タンク(600)へ戻すための孔(205c)が開設されている。
平板(205a)の後部両端には、取付け台(202)を下降位置にロックするためのロック爪(206)(206)が上向きに突設されている。
【００３９】
［取付け台及びそのロック手段］
取付け台(202)は、ベース板(201)より前後長さが短い小判形に形成され、その後端は、ベース板(201)の後端の略真上に位置している。
取付け台(202)の左右両側には、前記ガイド枠(205)をスライド可能に嵌合した中空の脚部(207)(207)を具えており、両ガイド柱(203)(203)に沿って配備したバネ(203a)によって、取付け台(202)は上向き付勢されている。
【００４０】
取付け台(202)の後部両端に支持柱(208)(208)を突設し、両支持端柱の先端間に跨って、外膨らみの略円弧状の傾動部材(209)の両端を枢支(209a)し、トーションバネ(209b)とストッパ(図示せず)によって、該傾動部材(209)を取付け台(202)と略水平に保持している。
傾動部材(209)の両端には、ロック爪(209c)(209c)が下向きに突設され。傾動部材(209)の中央にはブロック片(209d)が上向きに突設されている。該ブロック片(209d)の上面は前側に下向き傾斜している。
取付け台(202)を前記バネ(203a)に抗して下降させると、下降端にて上記ロック爪(209c)(209c)が前記取付け台(202)側のロック爪(206)(206)と係合して、取付け台(202)を下降位置にロックする。
後記するケース状外カバー(900)に設けたプッシュボタン(901)を押圧すると、該プッシュボタン(901)がブロック片(209d)の上面を押して、トーションバネ(209b)に抗して、傾動部材(209)を枢支部(209a)を中心に下向きに回転させる。これによって、前記ロック爪(206)(209c)どうしの係合が外れ、バネ(203a)の付勢力で取付け台(202)は上昇する。
【００４１】
［囲い枠及びファン］
取付け台(202)上に囲い枠(300)が固定されている。
図２１に示す如く、囲い枠(300)は上面開口の有底槽体であって、洗浄ポジション(際剃りポジション)の電気かみそり(８)のヘッド部(２)を下向き且つ左右に向けた状態で、完全に収容可能な大きさである。
囲い枠(300)の前壁(301)は電気かみそり(８)のハンドル部(１)のくびれ部の略中央部までの高さであり、後壁(302)及び左右の両側壁(303)は該くびれ部を隠す高さに達している。
図２５に示す如く、囲い枠(300)の前壁(301)及び後壁(302)の下部は、互いに接近する方向に傾斜して断面略Ｖ字状の底壁(304)を形成している。
前側の傾斜壁(301a)は電気かみそり(８)の外刃列に接近し、後側の傾斜壁(301b)はヘッド部(２)の背面に沿う。囲い枠(300)の後壁(302)はハンドル部(１)を支える。囲い枠(300)に電気かみそり(８)を投入したとき、電気かみそり(８)の前記３つく接点(７)(７)(7a)の先端面が揃う面は、囲い枠(300)の該後壁(302)に対して略平行である。
【００４２】
前側の傾斜壁(301a)の左右何れかの一端側には、前記電気かみそりヘッド部(２)の際剃り外刃(32)と荒剃り外刃(33)との間の隙間Ｓとの対向位置に、洗浄液噴射口(305)が開口している。
図４２に示す如く、囲い枠(300)の底部中央には洗浄液排出口(306)が、取付け台(202)を貫通して短いノズル状に開口している。
囲い枠(300)の底部両端には、電気かみそりヘッド部(２)の両端を支える受け部(図示せず)を有している。該受け部によって、ヘッド部(２)は囲い枠(300)の底から少し浮いた状態に支持され、ヘッド部(２)の外刃(32)(33)(34)と囲い枠(300)の底部との間に、洗浄液や後記するファン(309)の送風の通路となる流通隙間が生じる。
【００４３】
図４３に示す如く、囲い枠(300)の後壁(302)の下部の外側にファン室(307)が形成され、該ファン室(307)にファン(309)が配備されている。
ファン室(307)の上部は横長の開口(308)によって囲い枠(300)内に連通している。囲い枠(300)内には、該開口(308)からの送風を下向きに変える邪魔板(309)が設けられている。
囲い枠(300)の後壁下部は、下端側が前方に傾斜した傾斜壁(301b)であるから、該傾斜壁(301b)に隣接してファン室(307)を設けても、外側への嵩張りを小さくできる。しかも、ファン(309)を電気かみそりヘッド部(２)の背面に向けた状態に設置でき、ファン(309)とヘッド部(２)とを近づけて送風流路を短くし、ヘッド部(２)を効率的に乾燥させることができる。
ファン(309)は、後記の如く、電気かみそりヘッド部(２)内を洗浄した後に、該ヘッド部(２)を乾燥させることを主たる目的とするが、ファン(309)からの送風は、囲い枠(300)の底部の排出口(306)からも流出して、後記する貯液タンク(600)内のフィルター(700)を乾燥させる役割もなす。
【００４４】
［洗浄器の接点］
図６の前記電気かみそり(８)を、ヘッド部(２)を下向にしたときの３つの接点(７)(７)(7a)の位置に対応して、図２０、図３３、図３５に示す如く、囲い枠(300)の後壁(302)上部には３つの接点(400)(400)(400a)が内向きに突設されている。
該３つの接点(400)(400)(400a)は、金属線(401)を屈曲して形成され、接点となる鋭角屈曲部を後壁(302)の縦向きスリット孔(302a)の後方から囲い枠(300)内へ臨出させている。
３つの接点(400)(400)(400a)の臨出高さは同じである。
【００４５】
金属線(401)の上部はトーションバネ(402)を形成しており、該トーションバネが囲い枠(300)の後壁(302)に固定したブロック(403)に取り付けられて、接点(400)(400)(400a)である鋭角屈曲部を囲い枠(300)内へ付勢している。
囲い枠(300)の内面には、上記各スリット孔(302a)の両側に、補強及び電気かみそり挿入案内用のリブ(404)がスリット孔(302a)に沿って突設されている。
リブ(404)は接点(400)(400)(400a)の臨出高さより低い。
該接点(400)(400)(400a)には、金メッキが施されて、電気導通性を向上させている。接点(400)(400)(400a)は金属線(401)で形成されているから、従前の金属板製の接点に較べて高価な金の使用量を少なくできる。
【００４６】
［ポンプ及び電解用極板］
図２７に示す如く、取付け台(202)の前部下面に、極板ケース(500)とポンプ(504)が取り付けられている。
ポンプ(504)は、前記囲い枠(300)の洗浄液噴射口にチューブ(505)で繋がれている。
【００４７】
図２８に示す如く、電解用極板ケース(500)は縦長中空であり、周壁には複数のスリット孔(500a)が開設されている。
図２７に示す如く、極板ケース(500)には、縦長矩形の同じ長さの陽極板(501)と陰極板(502)が略平行に接近して対向配備されている。
電解用極板ケース(500)には、下端が上記両極板(501)(502)より高い位置にある端子板(503)も配備されている。
端子板(503)の下端の高さは、極板ケース(500)が貯液タンク(600)に浸かった状態において、貯液タンク(600)内の洗浄液の設定下限高さに対応している。
両極板(501)(502)の何れか一方の極板と、端子板(503)との導通によって、洗浄液が設定下限高さに達したことを検出する。
【００４８】
［ケース状外カバー］
図１９、図２０、図２８に示す如く、ベース板(201)を含む洗浄器本体(200)には、縦長略直角三角形の中空ケース状の外カバー(900)が固定され、該外カバーは、前記取付け台(202)や囲い枠(300)と一体に昇降する。
外カバー(900)の下面はベース板(201)に対応して小判形に開口している。
外カバー(900)の上端部は、前記囲い枠(300)の上端部の開口形状に対応して開口している。
外カバー(900)の上端後部にはプッシュボタン(901)が設けられ、該プッシュボタンには、下向きに押し片(902)が突設されている。該押し片(902)は、前記洗浄器本体(200)の傾動部材(209)上のブロック片(209d)上面を押圧可能である。
外カバー(900)の傾斜前壁の略中央部に、洗浄用スイッチボタン(903)が配備されている。
図１９、図２５、図２６に示す如く、外カバー(900)の傾斜前壁の内側には、洗浄器(100)の制御部である後記する制御基板(101)が取り付けられている。
【００４９】
［貯液タンク］
図２０乃至図２２に示す如く、洗浄器本体(200)のベース板(201)上に貯液タンク(600)が、前方から後方へスライドしてセットされる。
図３０及び図３１に示す如く、貯液タンク(600)は、タンク本体(601)と、タンク本体の上面開口に被さる蓋体と、該蓋体下面に取り付けてタンク液面に浸からない様に用いるフィルター(700)と、必要に応じてタンク内に沈めて使用する補助フィルータ(800)とによって構成されている。
【００５０】
タンク本体(601)は、洗浄器本体ベース板(201)上のガイド枠(205)の左右の脚板(205b)(205b)間をスライドして通過できる幅長さで、前後長さはベース板(201)の前後長さより少し短く、上面が開口している。
図３１、図３２に示す如く、タンク本体(601)の底面の略中央部から後部には、左右に延びてタンクの側壁に繋がる両複数のリブ(602)(602a)、実施例では４本のリブ(602)(602a)が略等間隔に平行に突設されている。
各リブ(602)(602a)はタンク底部の補強の役割を成し、後側の２つのリブ(602)(602)は補助フィルター(800)を載せる支えの役割を兼用している。更に、各リブ(602)(602a)は、フィルターを通過した微細な髭屑、皮脂等の沈殿物がタンク本体(601)の前側に移動することを防止する堰の役割も兼ねており、最前部のリブ(602a)は、他のリブ(602)より高く隆起して、その効果を高めている。
タンク本体(601)の前部両壁の外側に、後記する蓋体を閉じ状態に保持するロック受け片(603)が突設されている。
【００５１】
蓋体(604)は、合成樹脂によってタンク本体(601)に被さる大きさに形成され、前部に前記洗浄器本体(200)のポンプ(504)及び極板ケース(500)のタンク本体内への通過を許す開口(605)、及び該開口の後方にて、洗浄器本体(200)の囲い枠(300)のノズル状排出口(306)が緊密に嵌まる孔(606)が開設されている。
【００５２】
蓋体(604)の前部両側には板状のロック腕(607)(607)が突設され、該ロック腕の基端は薄肉で蓋体(604)に繋がっており、下向きに屈曲自由である。
ロック腕(607)の自由端には掛り爪(608)が設けられ、該掛り爪(608)を前記タンク本体(601)のロック受け片(603)に引っ掛けて、蓋体(604)を閉じ状態に保持できる。
【００５３】
［フィルター］
図３０乃至図３２に示す如く、フィルター(700)は、フィルター枠(701)と該枠に装着するフィルター材(704)とから成る。
フィルター枠(701)は、平坦底で上面開口の扁平な船形を呈している。
フィルター枠(701)の前後長さは、前記タンク本体(601)の１／２弱、幅長さはタンク本体の後部にガタなく嵌まる長さ、枠高さは、タンク本体高さの３０％程度である。フィルター枠(701)の前枠(702)は底枠(703)に対して略１６０°を成す様に、前方に大きく傾斜している。
底枠(703)及び前枠(702)は格子状に形成されて、通水性の可撓性フィルター材(704)が載せられている。フィルター材(704)の目の粗さは100〜150メッシュである。
フィルター(700)は、前記貯液タンク蓋体(604)の後部下面に脱着可能に取り付けられており、該蓋体(604)の孔(606)がフィルター枠(701)の傾斜底枠(703)の真上に位置する。
ここで重要な点は、フィルター(700)は、貯液タンク(600)の設定範囲の最高液面高さより高い位置に取り付けられおり、洗浄液に浸からないことである。
【００５４】
［補助フィルター］
補助フィルター(800)も、フィルター枠(801)と、該枠に装着するフィルター材(805)とから成る。
該フィルター枠(801)も、平坦底で上面開口の扁平な船形を呈しているが、前記フィルター(700)のフィルター枠(701)の高さの略２倍程度の高さがあり、上端は貯液タンク(600)の液面から少し臨出する。
フィルター枠(801)の前枠(802)は底枠(803)に対して略１３０°を成す様に、前方に傾斜している。
フィルター枠(801)の底枠(803)、前枠(802)、後枠(804)は大きく開口しており、該開口をフィルター材(805)で塞いでいる。該フィルター材(805)は、前記メインフィルター(700)のフィルター材(704)と同様の目の粗さである。
【００５５】
補助フィルター(800)は、前記メインフィルター(700)で濾過され洗浄液を二次的に濾過して濾過率を向上させることができる。しかし、実施例では、下記の如く、洗浄液に電解水を用いるため、貯液タンク(600)内の電解水に浸かっている補助フィルター(800)に溜まった髭屑や皮脂等の不純物が、電解水濃度の上昇に障害となる等、従来例の電気かみそり洗浄器の問題点の解決の妨げとなるので、補助フィルター(800)は外しておく。
【００５６】
［電気かみそりヘッド部の洗浄器への挿入検出］
電気かみそり(８)の２つの充電用接点(７)(７)の内、一方の接点と、通信専用の接点(7a)を用いて、洗浄器(100)への電気かみそり(８)の投入を検出する。
囲い枠(300)内に、電気かみそり(８)のヘッド部(２)を下向き状態に挿入すると、電気かみそり(８)の背面の化粧カバー(6a)が洗浄器(100)の接点(400)(400)(400a)に当たって、該接点(400)(400)(400a)をトーションバネ(402)に抗して沈める。
ヘッド部(２)の両端が囲い枠(300)底部の受け部(図示せず)に当たった状態で、電気かみそり(８)の接点(７)(７)(7a)と囲い枠(300)上の接点(400)(400)(400a)の位置が対応する。該接点(400)(400)(400a)はトーションバネ(402)の付勢力で囲い枠(300)の内方向に付勢されているから、ヘッド部(２)の挿入中は、その化粧カバー(6a)の表面を押しながら滑り、電気かみそり(８)の接点(７)(７)(7a)を露出させる孔(61)(61)(61a)のテーパ状壁面(61b)に案内されて電気かみそり(８)の接点(７)(７)(7a)に確実に当接する。
【００５７】
これによって、電気かみそり(８)のヘッド部(２)が囲い枠(300)の正しい位置に挿入されたことが検出される。従って、電気かみそりヘッド部(２)の挿入を検出するためのリミットスイッチ等の特別の検出器は不要となる。
電気かみそり(８)の囲い枠(300)への挿入が多少位置ずれしても、前記孔(61)(61)(61a)のテーパ状壁面(61b)の誘い込み作用によって、接点(７)(７)(7a)が接点(400)(400)(400a)に導かれて、電気かみそり(８)の姿勢が正しく矯正され、ヘッド部(２)に対する洗浄液噴射口(305)の位置がずれることも防止できる。
電気かみそり(８)側の接点(７)(７)(7a)に対して洗浄器(100)側の接点(400)(400)(400a)はトーションバネ(402)によって押圧付勢されているから、後記する電気かみそりヘッド部(２)の洗浄の際に、電気かみそり(８)を駆動した時の振動によって、接点(７)(７)(7a)、(400)(400)(400a)のセルフクリーニングが実現できる。
【００５８】
前記の如く、電気かみそり(８)のハンドル部(１)の背面において、３つの接点(７)(７)(7a)の先端面は同一平面にあり、該接点(７)(７)(7a)上の化粧カバー(6a)の表面は、手に馴染みやすい様に３次元的に湾曲しているにも拘わらず、接点(７)(７)(7a)を露出させる３つの孔(61)(61)(61a)の開口縁高さは、接点(７)(７)(7a)を含む面と略平行な面に揃っている。このため、囲い枠(300)上の３つの接点(400)(400)(400a)は、囲い枠(300)内への臨出量を同じとすればよい。即ち、３つの接点(400)(400)(400a)を同じ形状とすることができ、接点(400)(400)(400a)の製作が容易であり、又、接点(400)(400)(400a)をブロック(403)へ取り付ける作業も簡単である。
【００５９】
［洗浄器の制御］
外カバー(900)の前部内面に設けた制御基板(101)に組み込まれたプログラムによって、以下の各種制御が行われる。
実施例では以下の条件下で制御がなされる。
イ．洗浄液は、貯液タンク(600)内で水道水を電解水に変えたものを使用する。
ロ．電解水は、１週間毎(１日１回洗浄するとして７回目の洗浄を終える毎)に新鮮なものに交換する。
【００６０】
洗浄器の使用手順と一緒に制御を説明する。
図２０に示す如く、プッシュボタン(901)を押して、外カバー(900)及び取付け台(202)を上昇させ、水道水を入れた貯液タンク(600)を、スライドさせてガイド枠(205)に挿入する。
外カバー(900)を下降させ、極板ケース(500)及びポンプ(504)を貯液タンク(600)に浸ける。外カバー(900)の下降位置でロック爪(206)(209c)が係合して自動的にロックが掛かる。
外カバー(900)を上昇させる毎にプログラムはリセットされるから、電気かみそり(８)の７回目の洗浄を終えるまで、外カバー(900)を上昇させない。
７回目の洗浄を終えると、ブザー、ランプ(何れも図示せず)等で自動的に貯液タンク(600)の洗浄液の交換を喚起する。
【００６１】
図１９、図２０に示す如く、電気かみそり(８)のヘッド部(２)を囲い枠(300)に挿入し、外カバー(900)上の洗浄用スイッチボタン(903)を押す。
洗浄用スイッチボタン(903)の押圧によってプログラムが開始し、先ず、挿入された電気かみそり(８)が、洗浄器(100)に対応したか否かの判別を行なう。
次に、電気かみそり(８)が洗浄器(100)に対応したものであれば、貯液タンク(600)内の洗浄液が設定下限高さか否かを判別する。
電気かみそり(８)が洗浄器(100)に対応していない場合、或いは貯液タンク(600)の液面が設定下限高さに達していない場合は、ブザー、ランプ等で警報を発する。
【００６２】
貯液タンク(600)の液面高さが適正であれば、陽極板(501)と陰極板(502)に通電し、貯液タンク(600)内の水を電解水に変える。実施例の電解時間は１０分間に設定されている。
水の電解は、７回の洗浄の内、１回目の洗浄の際に行われ、２回目以後の洗浄では、１回目の電解時間は、後記する予備洗浄に充てられる。
【００６３】
［１日目の洗浄］
洗浄は、予備洗浄と本洗浄に分けられる。
１回目の洗浄では、予備洗浄は省略し、水の電解終了から直ちに本洗浄に移る。
本洗浄は、ポンプ(504)を間歇的に数分間、実施例では６分間運転する。運転時間と休止時間は、半々とする。
洗浄液噴射口(305)から、電気かみそりヘッド部(２)の際剃り外刃(32)と荒剃り外刃(33)との間の隙間Ｓの一端側から刃体ケース(31)内に洗浄液が噴射される。洗浄液は、該隙間Ｓや、内刃(35)(35)、外刃(32)(33)(34)の刃孔から流出し、囲い枠(300)の排出口(306)からメインフィルター(700)へ排出される。
上記の様に、洗浄液噴射口(305)は、際剃り外刃(32)と荒剃り外刃(33)の隙間Ｓを狙って刃体ケース(31)内へ洗浄液を噴射するから、洗浄液を確実に刃体ケース(31)内へ導くことができる。
【００６４】
又、上記隙間Ｓの一端側から刃体ケース(31)へ洗浄液を噴射するので、刃体ケース(31)の中央部に臨出している振動子(４)に邪魔されることなく、洗浄液を刃体ケース(31)に注入できる。
又、上記隙間Ｓの一端側から洗浄液を刃体ケース(31)に直接に噴射することによって、他端側向かう洗浄液の強い流れが生じて、洗浄効果を高めることができる。これは単に洗浄液を溜めた容器にヘッド部(２)を浸けて洗浄することでは得られない効果である。
この間、電気かみそり(８)の駆動モータ(12)も断続的に運転する様に制御され、内刃(35)(35)(36)が断続的に往復動する。内刃(35)(35)の刃枠(35b)内のリブ(35e)(35e)の傾きによって、洗浄液に対する撹拌力が増し、内刃(35)、外刃(32)(33)(34)、刃体ケース(31)に付着した髭屑、皮脂等を一層効果的に洗い流すことができる。
【００６５】
［乾燥］
本洗浄が終了するとファン(309)を作動させる。
ファン(309)からの送風は、囲い枠(300)内のヘッド部(２)背面側から外刃列を通過して、ヘッド部(２)前面側へ流れ、一部は囲い枠(300)の底部の排出口(306)からも流出してフィルター(700)に向かう。これによって、ヘッド部(２)とフィルター(700)の乾燥を同時に行うことができる。
実施例では、ファン(309)の運転時間は２.５時間である。
【００６６】
［充電］
乾燥工程が終了すると、電気かみそり(８)の充電残量を検出して、設定値以下であれば充電を行う。充電残量に拘わらず、ファン(309)の運転が終われば充電する様に制御して、常時フル充電の状態にすることもできる。
上記工程で１回目の洗浄が終了する。
【００６７】
［２回以降の洗浄、乾燥の制御］
２回目以降の洗浄では、１回目洗浄における水の電解に要する時間が予備洗浄に充てられる以外、１回目の洗浄の場合と同様である。
実施例の予備洗浄は、本洗浄と同じく洗浄液噴射口(305)からの断続的な洗浄液の噴射であるが、具体的には、２秒噴射１８秒停止を２０回繰り返す。
【００６８】
［洗浄器側接点の他の実施例］
図３６ａは、洗浄器囲い枠(300)の接点(400)(400)(400a)の他の実施例を示している。
接点(400)(400)(400a)は先端が尖った三角錘状に形成され、バネ(405)で付勢されて、囲い枠(300)の孔(300a)から先端尖り部を臨出させている。
接点(400)(400)(400a)付近に洗浄液Ｅが接点を短絡させる様に付着していても、電気かみそり(８)の挿入によって、図３６ｂに示す如く、該接点(400)(400)(400a)が電気かみそり(８)の接点(７)(７)(7a)に押されて、バネ(405)に抗して凹むので、接点(７)(７)(7a)が孔縁から離脱し、接点(400)(400)(400a)どうしの短絡は解消される。
【００６９】
図３７は、洗浄器側囲い枠(300)に接点(400)(400)(400a)を固定状態に配備した状態を示しており、この場合、接点付近に飛散した洗浄液Ｅが槽状をなし、接点(400)(400)(400a)が短絡し、或いは洗浄液中の不純物が、電気抵抗成分を生成し、故障の原因となる。上記図３６ではこの様な問題が生じることを防止できる。
【００７０】
［マグネット使用の接点］
図３８は、電気かみそり(８)の接点(７)(７)間に、薄い絶縁膜(図示せず)を介してマグネット(70)を介装し、同様にして洗浄器側囲い枠(300)上の接点(400)(400)間にも、薄い絶縁膜(図示せず)を介してマグネット(71)を介装して、接点(７)(400)どうしの接触圧を強化している。
前記実施例の様に、３つの接点(７)(７)(7a)、(400)(400)(400a)どうしを当接させる場合、夫々２個のマグネット(70)(70)、(71)(71)を用い、電気かみそり(８)側では接点(７)、マグネット(70)、接点(7a)、マグネット(70)、接点(７)の順に配置し、電気かみそり(８)側では、接点(400)、マグネット(71)、接点(400a)、マグネット(71)、接点(400)の順に配置する。これにより、効率よく磁力線を捕らえることができ、磁束密度を最大化することで、より接点(７)(400)どうしの接触圧を強化できる。
又、磁力が作用している接点(７)(７)(7a)、(400)(400)(400a)どうしを接触させるから、洗浄中の電気かみそりの駆動による振動等によって、接点のズレや、瞬間的な接点どうしの離間を無くすことができる。
【００７１】
図３９は、従来の接点当接におけるマグネットの(70)(71)の使用例を示している。電気かみそり(８)の本体ケース(15)内にて、接点(７)(７)間に、両者から離してマグネット(70)を配備し、洗浄器囲い枠(300)内にて、接点(400)(400)間に、両者から離してマグネット(71)を配備している。マグネット(70)(71)の磁力は、距離の２乗で弱まるから、接点(７)(400)どうしの接触圧を強化するには、高価な強力磁石を必要とした。又、接点(７)(400)どうしのズレや、瞬間的な接点どうしの離間が生じやすい問題があった。上記した様に図３８の実施例の場合、この問題を解決できる。
【００７２】
［電気かみそりの駆動電圧の制御］
電気かみそりの駆動電圧は、通常、内刃駆動モータ(12)の回転数(即ち内刃(35)の往復動作回数)が８０００rpm程度となるように制御されている。電気かみそりヘッド部(２)の洗浄の際に該モータ(12)をオン、オフ制御する際にも、上記モータ回転数で駆動するよう制御されている。
一方、本願発明者らは、試行錯誤により、電気かみそりの洗浄の際に、髭屑が刃枠内から落ちやすい周波数帯と、皮脂汚れが剥離しやすい周波数帯が異なることを見出した。
例えば、髭屑を刃体ケース(31)内から落とすには、通常の内刃(35)の往復動作よりも低い周波数帯でモータ(12)を作動させることが効果的であり、逆に、皮脂汚れを剥離させるには、通常の内刃(35)の往復動作よりも高い周波数帯でモータ(12)を作動させるとすることが効果的であった。
【００７３】
そこで、洗浄時のモータ(12)の回転数を髭屑が落ちやすい低周波数帯から、皮脂汚れが剥離しやすい高周波数帯までシフト変化するように制御することで、髭屑及び皮脂汚れの両方の洗浄効果を高めるようにした。
具体的には、図４４に示すように、モータ(12)へ印加する電圧のデューティ比を階段状に大きくなるように変化させ、モータ(12)を低回転(４０００rpm)から高回転(１００００rpm)までシフト変化させている。
これにより、モータ(12)の低回転の帯域で髭屑を刃体ケース(31)内から効果的に除去でき、高回転の帯域で付着した皮脂汚れを効果的に除去することができる。
【００７４】
図４５は、印加電圧のデューティ比を変化させる回路図の一例を示している。図に示すように、回路は、ＩＣチップのパルス出力端子P17に抵抗R25、R26及びＦＥＴ  Q1が接続されており、ＦＥＴ Q1のドレイン側に電気かみそりのモータ(12)、ダイオードD8及びコンデンサC10が並列に接続されている。洗浄時には、ＩＣチップのパルス出力端子P17から、ＦＥＴ Q1のベース電圧をパルス信号とし、図４５に示すように、デューティ比を変化させることで、モータ(12)の回転数を低回転から高回転にシフトさせればよい。これにより、内刃(35)の往復動作回数を４０００回／分から１００００回／分の範囲でシフトさせながら洗浄を行なうことができる。
【００７５】
なお、上記では、内刃(35)の往復動作が低帯域から高帯域にシフトするように制御しているが、これは、逆にすると刃枠内で髭屑が舞って効果的な洗浄を妨げることがあるからである。
【００７６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００７７】
尚、実施例では、電気かみそりハンドル部(１)の接点(７)(７)(7a)を、ハンドル部(１)の背面に設けたが、ハンドル部(１)の側面或いは前面でもよい。即ち、ハンドル部(１)の周面であればよい。
洗浄器(100)の接点(400)(400)(400a)の位置も、ハンドル部(１)接点(７)(７)(7a)の位置に対応させればよい。
【図面の簡単な説明】
【００７８】
【図１】電気かみそりの正面側である。
【図２】電気かみそりの背面図である。
【図３】図２Ｃ−Ｃ線に沿う断面図である。
【図４】図２Ｂ−Ｂ線に沿う断面図である
【図５】図２Ａ−Ａ線に沿う断面図である。
【図６】化粧カバーを外した電気かみそりの背面側からの斜視図である。
【図７】ヘッド部から刃体ユニットを外した分解斜視図である。
【図８】刃体ユニットの拡大分解斜視図である。
【図９】外刃カセットの分解斜視図である。
【図１０】振動子片の正面図である。
【図１１】図１０Ａ−Ａ線に沿う断面図である。
【図１２】ヘッド部の側面図である。
【図１３】ヘッド部の平面図である。
【図１４】図１３Ａ−Ａ線に沿う断面図である。
【図１５】図１３Ｂ−Ｂ線に沿う断面図であり、ａ図は際剃り外刃を下降させた状態、ｂ図は上昇させた状態である。
【図１６】図１３Ｂ−Ｂ線に沿う断面図である。
【図１７】ａ図は第１実施例の内刃の刃枠の平面図、ｂ図は同断面図である。
【図１８】ａ図は第２実施例の内刃の刃枠の平面図、ｂ図は同断面図である。
【図１９】洗浄器の使用状態を示す斜視図である。
【図２０】貯液タンクの挿脱時の洗浄器の斜視図である。
【図２１】図１９において、外カバーを外した状態の洗浄器の斜視図である。
【図２２】同上の側面図である。
【図２３】同上の正面図である。
【図２４】同上の平面図である。
【図２５】図２５の縦断面図である。
【図２６】図２５とは反対側から見た断面図である。
【図２７】図１９のＡ−Ａ線に沿う断面図である。
【図２８】外カバーを上昇させ、貯液タンクを外した状態の洗浄器の斜め下方からの斜視図である。
【図２９】囲い枠を上昇させ、外カバーを外した状態の洗浄器の斜視図である。
【図３０】貯液タンクの斜視図である。
【図３１】貯液タンクの分解斜視図である。
【図３２】貯液タンクの断面図である。
【図３３】洗浄器の斜視図である。
【図３４】接点を取り付けたブロックの斜視図である。
【図３５】洗浄器の接点と電気かみそりの接点の当接状態の断面図である。
【図３６】洗浄器側接点の他の実施例の断面図であり、ａ図は待機位置の状態、ｂ図は押し込まれた状態を示している。
【図３７】従来例の接点取付け状態を示している断面図である。
【図３８】マグネットで接点どうしの当接を強めた接点係合の他の実施例の説明図である。
【図３９】マグネットを用いた従来例の接点係合の説明図である。
【図４０】囲い枠の洗浄液噴射口と電気かみそりヘッド部の位置関係を側面側から見た断面図である。
【図４１】同上の要部拡大断面図である。
【図４２】囲い枠の洗浄液噴射口と電気かみそりヘッド部の位置関係を正面側から見た断面図である。
【図４３】囲い枠とファン室との関係を示す断面図である。
【図４４】洗浄時のモータへの印加電圧変化を示すグラフ。
【図４５】印加電圧のデューティ比を変化させる回路図である。
【符号の説明】
【００７９】
１  ハンドル部
２  ヘッド部
３  刃体ユニット
30  外刃カセット
32  際剃り外刃
33  荒剃り外刃
34  仕上げ剃り外刃
４  振動子
６  外殻体
７  接点
100  洗浄器
101  制御基板
200  洗浄器本体
300  囲い枠
307  ファン室
309  ファン
400  接点
500  極板ケース
600  貯液タンク
700  フィルター
800  補助フィルター
900  外カバー
【図１】
2010057833.tif 000003
【図２】
2010057833.tif 000004
【図３】
2010057833.tif 000005
【図４】
2010057833.tif 000006
【図５】
2010057833.tif 000007
【図６】
2010057833.tif 000008
【図７】
2010057833.tif 000009
【図８】
2010057833.tif 000010
【図９】
2010057833.tif 000011
【図１０】
2010057833.tif 000012
【図１１】
2010057833.tif 000013
【図１２】
2010057833.tif 000014
【図１３】
2010057833.tif 000015
【図１４】
2010057833.tif 000016
【図１５】
2010057833.tif 000017
【図１６】
2010057833.tif 000018
【図１７】
2010057833.tif 000019
【図１８】
2010057833.tif 000020
【図１９】
2010057833.tif 000021
【図２０】
2010057833.tif 000022
【図２１】
2010057833.tif 000023
【図２２】
2010057833.tif 000024
【図２３】
2010057833.tif 000025
【図２４】
2010057833.tif 000026
【図２５】
2010057833.tif 000027
【図２６】
2010057833.tif 000028
【図２７】
2010057833.tif 000029
【図２８】
2010057833.tif 000030
【図２９】
2010057833.tif 000031
【図３０】
2010057833.tif 000032
【図３１】
2010057833.tif 000033
【図３２】
2010057833.tif 000034
【図３３】
2010057833.tif 000035
【図３４】
2010057833.tif 000036
【図３５】
2010057833.tif 000037
【図３６】
2010057833.tif 000038
【図３７】
2010057833.tif 000039
【図３８】
2010057833.tif 000040
【図３９】
2010057833.tif 000041
【図４０】
2010057833.tif 000042
【図４１】
2010057833.tif 000043
【図４２】
2010057833.tif 000044
【図４３】
2010057833.tif 000045
【図４４】
2010057833.tif 000046
【図４５】
2010057833.tif 000047